(57)【特許請求の範囲】
【請求項１】
患者からの呼び出しに応答するためのナースコール親機及び携帯端末と、患者が看護師を呼び出すためのベッド子機と、前記ベッド子機からの呼び出しを看護師に知らせるための廊下灯と、前記ナースコール親機及び前記廊下灯を制御する制御機と、を有するナースコールシステムであって、
看護師名と前記携帯端末の呼出番号とを関連付けた看護師・携帯端末情報を記憶した第１記憶部と、
患者グループ毎に組まれる看護師チームと看護師毎に付される担当番号とを関連付けたチーム・担当番号情報を記憶した第２記憶部と、
前記担当番号と前記携帯端末の呼出番号とを関連付けた担当番号・端末番号情報を記憶した第３記憶部と、
前記看護師・携帯端末情報、前記チーム・担当番号情報、そして前記担当番号・端末番号情報を基に、前記携帯端末の呼出先番号と担当番号とを呼び出す順序に従って関連付けたスライド呼出情報を記憶した第４記憶部と、
患者氏名と前記担当番号と勤務時間帯とを関連付けた勤務時間帯・担当情報を記憶した第５記憶部と、
呼び出しのない待受時に個々の患者の氏名、救護区分を表示する前記ナースコール親機に設けた表示部と、
前記看護師・携帯端末情報、前記チーム・担当番号情報、前記担当番号・端末番号情報、前記勤務時間帯・担当情報を基に、患者単位で担当番号、担当看護師名、携帯端末番号のうち少なくとも一つを前記表示部に表示し、勤務時間帯の変更操作が成されたら、患者毎の表示を変更する表示制御手段と、を有し、
前記制御機は、前記ベッド子機から呼び出しが成されたら、前記勤務時間帯・担当情報、前記スライド呼出情報に従って呼び出しを行い、呼び出しに対して前記ナースコール親機或いは所定の携帯端末で応答がない場合に、前記スライド呼出情報を基に前記携帯端末の呼出先を変更するスライド呼出動作を実施する一方、
前記表示制御手段は、前記表示部に前記携帯端末の現在の呼出先を表示することを特徴とするナースコールシステム。
【請求項２】
前記スライド呼出情報は、日勤、夜勤等の勤務時間帯毎に設定されて記憶されることを特徴とする請求項１記載のナースコールシステム。
【請求項３】
前記勤務時間帯・担当情報は、日付単位で設けられてなることを特徴とする請求項１又は２記載のナースコールシステム。
【請求項４】
前記表示部に患者単位で担当看護師名が表示されている場合に前記勤務時間帯の変更操作が成されたら、前記表示制御手段は、前記勤務時間帯・担当情報、前記担当番号・端末番号情報、前記看護師・携帯端末情報に基づいて前記表示部に表示された担当看護師名を変更することを特徴とする請求項１乃至３の何れかに記載のナースコールシステム。
【請求項５】
前記表示部に患者単位で看護師チーム情報が表示されている場合に前記勤務時間帯の変更操作が成されたら、前記表示制御手段は、前記チーム・担当番号情報に基づいて前記表示部に表示された看護師チーム情報を変更することを特徴とする請求項１乃至４の何れかに記載のナースコールシステム。
【請求項６】
前記表示制御手段は、前記表示部に、前記携帯端末の呼出先を看護師名を含めて表示することを特徴とする請求項１乃至５の何れかに記載のナースコールシステム。
【請求項７】
前記表示制御手段は、前記表示部に、看護師チームを表示することを特徴とする請求項５又は６記載の請求項ナースコールシステム。
【請求項８】
前記表示制御手段は、前記表示部に、前記看護師・携帯端末情報、前記チーム・担当番号情報、前記担当番号・端末番号情報、前記勤務時間帯・担当情報を組み合わせた総合情報を一覧表示することが可能なことを特徴とする請求項１乃至７の何れかに記載のナースコールシステム。
【発明の詳細な説明】
【技術分野】
【０００１】
本発明は、ナースコールシステムに係り、特に、ナースコール親機にて患者毎の担当看護師名や、携帯端末番号と看護師の関係を表示するナースコールシステムに関する。
【背景技術】
【０００２】
例えばＰＨＳ型の携帯端末が各看護師毎に携帯され、患者からの呼び出しに対して直接担当する看護師に呼び出しがかかるナースコールシステムが広く採用されている。このようなナースコールシステムとして特許文献１或いは２に示すように構成されたものがあり、特許文献１では、緊急呼び出しに対しては全ての携帯端末に呼び出しをかけ、通常呼び出しに対しては担当の看護師の携行する携帯端末のみに呼び出しをかける構成となっている。また、特許文献２では、患者の呼び出しに対して勤務時間帯毎に設定された携帯端末に呼び出しがかかる。
【０００３】
【特許文献１】特開２０００−２２４３２１号公報
【特許文献２】特開２００３−８７５４号公報
【発明の開示】
【発明が解決しようとする課題】
【０００４】
看護師の勤務形態は、通常、日勤、準夜勤、夜勤と３つの勤務時間帯に分けられており、勤務時間帯によって看護師は交替するので個々の患者を担当する看護師も入れ替わる。しかしながら、上記従来のナースコールシステムにおいては、勤務時間帯に応じて設定できるのは携帯端末の番号程度であり、例えば呼び出し先携帯端末の看護師名の情報はない。また、看護師名を設定できる場合であっても、日勤を担当する看護師名程度であり、夜勤等他の勤務時間帯では、表示名と実際の担当看護師が異なっていた。そのため、詳しい看護師情報をナースコール親機等から知ることはできず、知ることができるのは精々患者を担当する看護チーム名程度であった。
このように、患者からの呼び出しに応対する携帯端末が実際にどの看護師に呼び出しをかけているのかを知る手段がなく、看護師が入れ替わったりした場合に患者の呼び出しにスムーズに対応できない場合があった。
【０００５】
そこで、本発明はこのような問題点に鑑み、少なくとも患者からの呼び出しに対して呼出操作している携帯端末が実際に何れの看護師の携帯端末か知ることができ、また勤務時間帯によって変更される看護師情報を知ることができるナースコールシステムを提供することを目的とする。
【課題を解決するための手段】
【０００６】
上記課題を解決するため、請求項１の発明は、患者からの呼び出しに応答するためのナースコール親機及び携帯端末と、患者が看護師を呼び出すためのベッド子機と、ベッド子機からの呼び出しを看護師に知らせるための廊下灯と、ナースコール親機及び廊下灯を制御する制御機と、を有するナースコールシステムであって、
看護師名と携帯端末の呼出番号とを関連付けた看護師・携帯端末情報を記憶した第１記憶部と、
患者グループ毎に組まれる看護師チームと看護師毎に付される担当番号とを関連付けたチーム・担当番号情報を記憶した第２記憶部と、
担当番号と携帯端末の呼出番号とを関連付けた担当番号・端末番号情報を記憶した第３記憶部と、
看護師・携帯端末情報、チーム・担当番号情報、そして担当番号・端末番号情報を基に、携帯端末の呼出先番号と担当番号とを呼び出す順序に従って関連付けたスライド呼出情報を記憶した第４記憶部と、
患者氏名と担当番号と勤務時間帯とを関連付けた勤務時間帯・担当情報を記憶した第５記憶部と、
呼び出しのない待受時に個々の患者の氏名、救護区分を表示するナースコール親機に設けた表示部と、
看護師・携帯端末情報、チーム・担当番号情報、担当番号・端末番号情報、勤務時間帯・担当情報を基に、患者単位で担当番号、担当看護師名、携帯端末番号のうち少なくとも一つを表示部に表示し、勤務時間帯の変更操作が成されたら、患者毎の表示を変更する表示制御手段と、を有し、
制御機は、ベッド子機から呼び出しが成されたら、勤務時間帯・担当情報、スライド呼出情報に従って呼び出しを行い、呼び出しに対してナースコール親機或いは所定の携帯端末で応答がない場合に、スライド呼出情報を基に携帯端末の呼出先を変更するスライド呼出動作を実施する一方、
表示制御手段は、表示部に携帯端末の現在の呼出先を表示することを特徴とする。
この構成により、記憶された看護師・携帯端末情報を読み出すことで、携帯端末を所持する担当看護師の名前を知ることができ、呼出先の看護師名を知ることが可能となる。また、各種設定をする際活用できる。
【０００７】
また、記憶されたチーム・担当番号情報を読み出すことで、チームに所属する看護師の情報を日勤、夜勤に拘わらず知ることが可能となり、各種設定をする際便利である。
【０００８】
また、スライド呼び出しの呼出先を知ることができるし、看護師・携帯端末情報、チーム・担当番号情報等を基に設定することで、スライド呼び出しの設定を容易に実施できる。
更に、待受時に各患者の情報に加えて担当看護師の情報もナースコール親機に表示するし、勤務時間帯に合わせて担当看護師情報は表示されるので、時間帯に拘わらず患者からの呼び出し等に対して応対する看護師は的確な指示を出しやすい。
また、呼び出している携帯端末の情報をナースコール親機にて知ることができ、呼出状況を把握し易い。
【０００９】
請求項２の発明は、請求項１に記載の発明において、スライド呼出情報は、日勤、夜勤等の勤務時間帯毎に設定されて記憶されることを特徴とする。
この構成により、どのような時間帯であっても、勤務時間帯に応じたスライド呼び出しを実施でき、担当ではない看護師に呼び出しがかかるようなことを無くすことができる。
【００１１】
請求項３の発明は、請求項１又は２に記載の発明において、勤務時間帯・担当情報は、日付単位で設けられてなることを特徴とする。
この構成により、日付単位での管理が可能となり、日付毎の設定変更がし易くなる。また、過去や将来の情報を日付単位で取り出すこともでき、勤務管理資料としても活用できる。
【００１２】
請求項４の発明は、請求項１乃至３の何れかに記載の発明において、表示部に患者単位で担当看護師名が表示されている場合に勤務時間帯の変更操作が成されたら、表示制御手段は、勤務時間帯・担当情報、担当番号・端末番号情報、看護師・携帯端末情報に基づいて表示部に表示された担当看護師名を変更することを特徴とする。
この構成により、特別な操作をすることなく患者毎の担当看護師名を勤務時間帯に応じて知ることができ、更に的確な指示を出しやすい。
【００１３】
請求項５の発明は、請求項１乃至４の何れかに記載の発明において、表示部に患者単位で看護師チーム情報が表示されている場合に勤務時間帯の変更操作が成されたら、表示制御手段は、チーム・担当番号情報に基づいて表示部に表示された看護師チーム情報を変更することを特徴とする。
この構成により、特別な操作をすることなく勤務時間帯に応じた看護師チーム情報を知ることができ、詳しい看護師情報を得ることができる。
【００１５】
請求項６の発明は、請求項１乃至５の何れかに記載の発明において、表示制御手段は、表示部に、携帯端末の呼出先を看護師名を含めて表示することを特徴とする。
この構成により、呼び出している看護師名を直接知ることができ、更に呼出状況を把握でき、担当でない看護師を呼び出すような設定間違いを無くすことができる。
【００１６】
請求項７の発明は、請求項５又は６に記載の発明において、表示制御手段は、表示部に、看護師チームを表示することを特徴とする。
この構成により、更に詳しい呼び出し情報を得ることができる。
【００１７】
請求項８の発明は、請求項１乃至７の何れかに記載の発明において、表示制御手段は、表示部に、看護師・携帯端末情報、チーム・担当番号情報、担当番号・端末番号情報、勤務時間帯・担当情報を組み合わせた総合情報を一覧表示することが可能なことを特徴とする。
この構成により、患者、看護師、看護師チーム、携帯端末番号等を一覧で見ることができ、看護師の勤務形態、勤務状況を容易に把握することができる。そのため、看護師のチーム編制や勤務時間の変更等の看護計画を立てる際に有効に利用でき、看護師の事務業務の軽減に役立てることができる。
【発明の効果】
【００１８】
このように、本発明によれば、実際に呼び出しを行っている例えば看護師名をナースコール親機に表示するので、患者からの呼び出しに対して呼び出している携帯端末が実際に何れの看護師の携帯端末か知ることができ、呼出状況を把握できる。また、ナースコール親機にて応対した看護師は、的確な指示を出しやすい。また、勤務時間帯によって変更される看護師情報をナースコール親機にて知ることができる。
更に、スライド呼び出しが勤務時間帯毎に設定されるので、どのような時間帯であっても、スライド呼び出しを実施でき、担当となっていない看護師に呼び出しがかかるようなことを無くすことができる。
更に、呼び出している携帯端末の情報をナースコール親機にて知ることができ、呼出状況を把握し易い。
【発明を実施するための最良の形態】
【００１９】
以下、本発明を具体化した実施の形態を、図面に基づいて詳細に説明する。図１は、本発明に係るナースコールシステムの一例を示すシステム構成図であり、１は患者からの呼び出しに応答するためのナースコール親機、２は個々の看護師が携帯して患者からの呼び出しに応答するための携帯端末、３は通話及びデータの送受を制御する制御機、４は病室毎に設置される廊下灯、５は患者が看護師を呼び出すために各病床に設置されるベッド子機、６はトイレから看護師を呼び出すためのトイレ子機、７はＰＢＸ交換機、８は携帯端末２と通信するための無線基地局である。
【００２０】
ナースコール親機１は、患者毎に患者情報を表示するエスカッション１０及び表示手段としてのＬＣＤ（液晶表示部）１１を有するＬＣＤ親機１ａと、パーソナルコンピュータ（以下、ＰＣとする）からなるＰＣ親機１ｂから成り、ＰＣ親機１ｂはＰＣモニタ画面としてＬＣＤ親機１ａに比べて大画面の表示手段としてのＬＣＤ１３を備え、エスカッションをそのＬＣＤ１３に表示するよう構成されている。また、１４は患者と通話する為のハンドセットである。
【００２１】
また、図２は図１のシステムの要部ブロック図を示し、ナースコール親機１（１ａ，１ｂ）、制御機３をブロック図で示している。図２に示すように、ナースコール親機１のうち一方のＬＣＤ親機１ａは、ＬＣＤ１１に文字や絵を表示するためのＬＣＤ駆動回路１６、患者からの呼び出しにより呼出音を報音するための呼出音発生回路１７、ハンドセット１４に加えて患者とハンズフリー通話を可能とするスピーカ／マイク（ＳＰ／ＭＩＣ）１８、通話回路１９と、ＬＣＤ１１を利用して各種入力を行うためのタッチパネル２０、各回路を制御するＬＣＤ親機ＣＰＵ２１、そして制御機３に接続するためのＬＣＤ親機ＩＦ（インターフェイス）２２を備えている。
【００２２】
また、他方のＰＣ親機１ｂは、ＬＣＤ１３に文字や絵を表示するためのＬＣＤ駆動回路２４、患者からの呼出により呼出音を報音するための呼出音発生回路２５、ハンドセット１４に加えて患者とハンズフリー通話を可能とするスピーカ／マイク（ＳＰ／ＭＩＣ）１８、通話回路１９、ＬＣＤ１３を利用して各種入力を行うためのタッチパネル２６、ＰＣ親機１ｂの各部を制御するＰＣ親機ＣＰＵ２７、そして制御機３に接続するためのＰＣ親機ＩＦ（インターフェイス）２８を備えている。ＰＣ親機１ｂでは、ＬＣＤ１３にエスカッションが表示され、また、患者情報、看護情報等も表示される。
そして、このように構成されたＬＣＤ親機１ａ、ＰＣ親機１ｂの双方から、勤務時間帯の変更操作を含む各種設定変更が実施可能となっている。
尚、ＬＣＤ親機ＣＰＵ２１及びＰＣ親機ＣＰＵ２７は、ＬＣＤ１１或いはＬＣＤ１３に例えば看護師・携帯端末情報等の各種情報を表示したり、また表示変更等を制御する表示制御手段としても動作する。
【００２３】
制御機３は、ナースコール親機１により入力された日勤、準夜勤、夜勤の看護師チーム情報等の勤務時間帯情報を記憶するメモリ３０を備え、３１は制御機３を制御する制御機ＣＰＵを示している。このメモリ３０は、図３に示すような看護師名と携帯端末の呼出番号とを関連づけた看護師・携帯端末情報を記憶した第１記憶部３０ａ、図４に示すような患者グループ毎に組まれる看護師チームと看護師毎に付される担当番号とを関連づけたチーム・担当番号情報を記憶した第２記憶部３０ｂ、図５に示すような担当番号と携帯端末の呼出番号とを関連付けた担当番号・携帯端末情報を記憶した第３記憶部３０ｃ、図７に示すような携帯端末番号と担当番号とを呼び出す順序に従って勤務時間帯毎に関連づけたスライド呼出情報を記憶した第４記憶部３０ｄ、図６に示すような患者名と担当番号と勤務時間帯とを関連づけた勤務時間帯・担当情報を記憶した第５記憶部３０ｅを有している。
尚、勤務時間帯・担当情報は日付単位で設定され、図６は例えばＡチームの所定の日の勤務時間帯・担当情報を示している。
【００２４】
そして、上記メモリ３０に記憶される各種情報の入力は、ＬＣＤ親機１ａまたはＰＣ親機１ｂ、或いはナースコール用サーバ（図示しない）で行うことが可能となっている。ＬＣＤ親機１ａの場合は、エスカッション１０とタッチパネル２０とを組み合わせて患者ごとの設定が行われ、ＰＣ親機１ｂの場合は、タッチパネル２６で設定が行われる。そして、ナースコール用サーバではタッチパネル、マウス、キーボード等の所定の手段によって設定可能となっている。具体的な入力は、図３〜図６に示すような表を予め作成してメモリ３０に保存させておき、画面に表示させて入力される。
【００２５】
一方、スライド呼出情報の設定は、看護師の勤務時間帯毎に設定され、看護師・携帯端末番号情報、チーム・担当番号情報、担当番号・端末番号情報を基に、看護師チームを選択することで、そのチームに属する携帯端末番号を一括して表示させることで設定できる。図７はこのスライド設定時の表示画面を示し、日勤の勤務時間帯における設定状態を示している。図７においてハッチングで示すように、例えば１回目の呼び出しは担当看護師である担当番号「１」の携帯端末番号「１０１」をクリック操作、２回目の呼び出しは携帯端末番号「１０２〜１０４」をクリック操作、３回目の呼び出しは携帯端末番号「１０１〜１０５」をクリック操作して選択することで容易に設定できる。これを担当番号毎に繰り返すことで、夫々の看護師に対して設定される。
【００２６】
そして、このような情報を有することで、制御機ＣＰＵ３１は、図８に示すような図３〜図６の情報を合わせた総合情報である患者看護情報を日付毎に作成するよう設定されている。図８は、患者看護情報をＰＣ親機１ｂに表示させた状態を示し、Ａ，Ｂ２つの看護師チームの患者看護師情報を表示している。ＰＣ親機１ｂのタッチパネル２６の所定操作で、ＬＣＤ１３にこのような患者看護情報が制御機３から取り出されて表示される。尚、携帯端末番号は、実際に使用されるＰＨＳの名称で表示している。
この患者看護情報は、日付ごとに作成され、本実施例ではＡチーム、Ｂチームの日勤、準夜勤、夜勤の勤務形態を表示している。このような患者看護情報を作成して表示することで、患者、看護師、看護師チーム、携帯端末番号等を一覧で見ることができ、看護師の勤務状況を容易に把握することができる。そのため、看護師のチーム編制や勤務時間の変更等の看護計画を立てる際に有効に利用でき、看護師の事務業務の負担軽減に役立てることができる。
【００２７】
このように、看護師・携帯端末情報を有することで、呼出先の看護師名を知ることが可能となるし、チーム・担当番号情報を有することで、チームに所属する担当看護師の情報を日勤、夜勤に拘わらず知ることができ、各種設定をする際便利である。
また、スライド呼び出しの設定は、メモリに記憶している各種情報を基に看護師チームを選択することで容易に実施でき、スライド呼び出しは勤務時間帯毎に設定されるので、どのような時間帯であっても、スライド呼び出しを実施できる。
また、日付単位の勤務時間帯・担当情報を有することで、日付単位で管理でき、看護計画を立てる際に活用できる。また、過去、現在、将来の看護師情報を日付単位で取り出すこともでき、勤務管理資料としても活用できる。
【００２８】
尚、勤務時間帯・担当情報は日付ごとに記憶されているので、変更の必要が発生した場合は、日付をキーとして容易に読み出すことで容易に変更できる。この変更操作は、勿論現在動作中の勤務形態であっても変更することは可能である。
【００２９】
このような情報の設定が予め成されている状況において、以下、動作を説明する。まず、ＰＣ親機１ｂの動作を説明する。患者からの呼び出しがない待受状態において、ＰＣ親機１ｂのＬＣＤ１３は、患者毎にベッド番号等の患者情報、担送・護送の救護区分等の看護情報を表示したエスカッションが表示され、そのＰＣ親機１ｂが管轄する個々の患者情報が表示されている。そして、日勤に設定されている状態では、この表示画面に、設定された図３〜図６に示す各種情報をもとに、例えば、患者名「患者ａ」の患者の場合には、看護師の担当番号「１」、看護師名「看護師ａ」、端末番号「１０１」等の情報が表示される。更に、看護チーム情報がエスカッションに隣接して画面右隅に表示される。
尚、エスカッションの患者毎の表示内容としては、更に患者年齢、診療科目、性別、医師名等がある。
【００３０】
このような状態において、「患者ａ」が使用するベッド子機５から呼び出しがあると、呼出情報が制御機３に送信される。制御機３では、呼出情報をナースコール親機１に送信すると共に、制御機３のメモリ３０に記憶されたスライド呼出情報を基に１回目の携帯端末２の呼び出しを行う。ここでは図７に示すように、端末番号１０１の携帯端末が呼び出され、この番号の携帯端末１０１を所持している看護師は図３の看護師・携帯端末情報から看護師名「看護師ａ」となる。
【００３１】
このときの、ＰＣ親機１ｂのＬＣＤ１３の表示動作を図９に示している。図９（ａ）はＬＣＤ１３全体の表示、図９（ｂ）は呼出開始時にポップアップ表示された情報、図９（ｃ）はスライド呼び出ししている時にポップアップ表示された情報を示している。呼び出しが成されたら、ＰＣ親機１ｂのＬＣＤ１３には、待受時に表示されていたエスカッションから患者名「患者ａ」の部位の情報Ｔ１が図９に示すように拡大されてポップアップ表示される。更に、情報Ｔ１に隣接して現在呼び出しを行っている携帯端末２と看護師の情報Ｔ２が表示される。つまり、看護師の担当番号「１」、端末番号「１０１」、その携帯端末２を所持している看護師名「看護師ａ」が表示される。更に、ＬＣＤ１３の右側に担当看護チームが赤色になった看護師チーム情報Ｔ３が表示される。尚、チームには各種色が割り当てられており、例えばＡチームは「赤」Ｂチームは「青」Ｃチームは「黄」Ｄチームは「緑」で表示されるようになっている。
【００３２】
この状態で、ＰＣ親機１ｂ、携帯端末２の端末番号１０１が３０秒間応答しない場合は、制御機３の制御によって、スライド呼出情報に従って２回目の呼び出しを行う。ここでは、図８に示すように端末番号「１０２」〜「１０４」を呼び出す。これにより、ＰＣ親機１ｂのＬＣＤ１３には、図９（ｃ）に示すように患者名「患者ａ」の部位の情報Ｔ１に加え、現在呼び出しを行っている携帯端末２の情報Ｔ４がポップアップ表示される。
これにより、ポップアップ表示された担当看護師の情報と、現在呼び出しを行っている携帯端末２を所持している看護師の情報を容易に視認できる。
【００３３】
勤務時間帯を日勤から準夜勤に設定変更した場合は、次のように動作する。ＰＣ親機１ｂの所定の操作により、勤務時間帯が「日勤」から「準夜勤」に変更される。この変更により、図３〜図６の各種情報に従って、ＰＣ親機１ｂのＬＣＤ１３の表示画面として、例えば、患者名「患者ａ」の表示部には、看護師の担当番号「６」、看護師氏名「看護師ｆ」、端末番号「１０６」等の情報が表示される。更に、看護チーム情報がエスカッションに隣接して画面右隅に表示され、そのＰＣ親機１ｂが管轄する患者及び看護師の情報が全て準夜勤への変更に従って変更される。そして、呼出時については、日勤の場合と同様に、準夜勤の設定に従って、呼出操作をした患者表示部がポップアップ表示される等の動作をする。
【００３４】
このときの、ＰＣ親機１ｂのＬＣＤ１３の表示動作を図１０に示している。図１０（ａ）はＬＣＤ１３全体の表示、図１０（ｂ）は呼出開始時にＬＣＤ１３にポップアップ表示された情報を示している。図１０に示すように、エスカッション及び看護チーム情報Ｔ３が表示された画面に、例えば患者名「患者ａ」から呼び出しがあると、患者名「患者ａ」の部位の情報Ｔ５が図１０に示すように拡大されてポップアップ表示される。更に、画面右側の表示領域に現在呼び出しを行っている携帯端末２と看護師の情報Ｔ６が表示される。つまり、看護師の担当番号「６」、端末番号「１０６」、所持している看護師名「看護師ｆ」が表示され、ＬＣＤ１３の右側に担当看護チームが赤色になった看護師チーム情報Ｔ３が表示される。尚、ここでは、準夜勤の設定が看護師１名であるため、スライド呼び出しの設定はない。
【００３５】
次に、ＬＣＤ親機１ａの動作を説明する。上述するＰＣ親機１ｂとは具体的な動作は同様であり、ＬＣＤ１１の表示形態が異なるだけなので、その部分のみ説明する。ＬＣＤ親機１ａの場合、ＰＣ親機１ｂに比べてＬＣＤ１１が小さいし、ＬＣＤ１１とは別途エスカッション１０を備えているので、待受時にはＬＣＤ１１には表示がされず、呼出時に表示を行う。患者から呼び出しがあったら、呼び出しが行われたベッド子機５に対応する部位のエスカッション１０が点灯または点滅すると共に、ＬＣＤ１１にスライド呼出情報に基づいて現在呼び出しを行っている携帯端末２の看護師の担当番号および携帯端末２の呼出番号等が表示される。
【００３６】
このように、患者から呼び出しが成されたら、呼び出しをした患者名、呼び出し先の携帯端末番号や看護師名がナースコール親機の画面にポップアップ表示されるので、患者名や呼出先の看護師名を容易に知ることができる。また、画面表示されている担当看護師チームの色が変わるので、チームも把握し易い。
また、待受時のエスカッション画面においても、患者個々の担当看護師名、看護師の担当番号、携帯端末番号等を表示するので、患者からの呼び出し等にナースコール親機にて応対した看護師は、的確な指示を出しやすい。また、日勤、夜勤等の勤務時間帯を変更した際、表示されている担当看護師名も対応して変更されるので、引き続き的確な指示を出しやすい。また、各種設定をする際便利である。
更に、スライド呼び出しの呼出先を表示するので呼出先を把握できるし、実際に呼び出しを行っている看護師名を表示するので、呼び出し状態を詳しく知ることができ、担当でない看護師を呼び出すような誤動作を防ぐことができる。
【００３７】
尚、上記実施形態では、ナースコール親機１をＬＣＤ親機１ａとＰＣ親機１ｂの２台で構成しているが、何れか一方だけで構成しても良い。
【図面の簡単な説明】
【００３８】
【図１】本発明に係るナースコールシステムの実施形態の一例を示す構成図である。
【図２】図１の要部ブロック図である。
【図３】看護師・携帯端末情報の説明図である。
【図４】チーム・担当番号情報の説明図である、
【図５】担当番号・端末番号情報の説明図である。
【図６】勤務時間帯・担当情報の説明図である。
【図７】スライド呼出情報の説明図である。
【図８】患者看護情報の説明図である。
【図９】ナースコール親機の表示例を示し、日勤の勤務時間帯の説明図である。
【図１０】ナースコール親機の表示例を示し、準夜勤の勤務時間帯の説明図である。
【符号の説明】
【００３９】
１・・ナースコール親機、１ａ・・ＬＣＤ親機、１ｂ・・ＰＣ親機、２・・携帯端末、３・・制御機、４・・廊下灯、５・・ベッド子機、６・・トイレ子機、１１・・ＬＣＤ（表示部）、２０・・タッチパネル、２１・・ＬＣＤ親機ＣＰＵ（表示制御手段）、１３・・ＬＣＤ（表示部）、２６・・タッチパネル、２７・・ＰＣ親機ＣＰＵ（表示制御手段）、３０・・メモリ、３０ａ・・第１記憶部、３０ｂ・・第２記憶部、３０ｃ・・第３記憶部、３０ｄ・・第４記憶部、３０ｅ・・第５記憶部、３１・・制御機ＣＰＵ。
【図１】
0004658520.tif 000002
【図２】
0004658520.tif 000003
【図３】
0004658520.tif 000004
【図４】
0004658520.tif 000005
【図５】
0004658520.tif 000006
【図６】
0004658520.tif 000007
【図７】
0004658520.tif 000008
【図８】
0004658520.tif 000009
【図９】
0004658520.tif 000010
【図１０】
0004658520.tif 000011